(57)【要約】【課題】発光特性を向上させることができる面光源装置及びこれを有する液晶表示装置を提供する。【解決手段】面光源装置は下部基板、下部基板と結合されて放電空間を形成し、放電空間を複数の放電領域に分割するために下部基板の方向に陥没する複数の陥没部を含む上部基板、及び下部基板の内面に形成され複数の陥没部と接し、陥没部の長さ方向に直交する方向に延長されて隣接する放電領域を互いに連結する連結通路を有する下層膜を含む。連結通路は、陥没部の長さ方向の両端部の間に形成され、全ての陥没部と交差する１つのライン、またはそれぞれの陥没部と交差するように複数からなる。従って、下層膜に形成される連結通路は偏流現象が発生しない程度の小さいサイズに形成されるので、偏流現象を除去して発光特性を向上させることができる。【選択図】    図１
2005268205.tif 000002
【特許請求の範囲】
【請求項１】
下部基板と、
前記下部基板と結合されて放電空間を形成し、前記放電空間を複数の放電領域に分割するために前記下部基板方向に陥没した複数の陥没部を含む上部基板と、
前記下部基板の内面に形成され前記複数の陥没部と接し、それぞれの前記陥没部と交差して隣接する前記放電領域を互いに連結する連結通路を有する下層膜と、
を含む面光源装置。
【請求項２】
前記複数の陥没部は、一定間隔離間され互いに並んで形成されることを特徴とする請求項１記載の面光源装置。
【請求項３】
前記連結通路は、前記陥没部の長さ方向の両端部のうち、少なくとも１つの端部と隣接して形成されることを特徴とするとする請求項１記載の面光源装置。
【請求項４】
前記連結通路は、全ての前記陥没部と交差するように一定線幅を有する１つのラインから形成されることを特徴とする請求項３記載の面光源装置。
【請求項５】
前記連結通路は、互いに隣接する前記陥没部の一端部及び他端部と交互に交差するように形成されることを特徴とする請求項３記載の面光源装置。
【請求項６】
前記連結通路は、前記陥没部の長さ方向の両端部の間に形成され、全ての陥没部と交差するように一定の線幅を有する１つのラインから形成されることを特徴とする請求項１記載の面光源装置。
【請求項７】
前記連結通路は前記陥没部の長さ方向の両端部の間にそれぞれの前記陥没部と交差するように複数からなり、互いに隣接する前記陥没部とそれぞれ交差する前記連結通路は前記陥没部の長さ方向に一定距離分だけ離間することを特徴とする請求項１記載の面光源装置。
【請求項８】
前記連結通路は、前記下層膜の除去によって形成されることを特徴とする請求項１記載の面光源装置。
【請求項９】
前記連結通路と対応する前記下層膜の厚さは、前記連結通路が形成されていない位置の前記下層膜の厚さより薄いことを特徴とする請求項１記載の面光源装置。
【請求項１０】
前記下層膜は、
前記放電空間から発生した光を反射する反射層と、
前記反射層上に形成され、紫外線を可視光線に変換するための第１蛍光層と、
を含むことを特徴とする請求項１記載の面光源装置。
【請求項１１】
前記連結通路は、前記反射層の除去によって形成されることを特徴とする請求項１０記載の面光源装置。
【請求項１２】
前記下部基板と向き合う前記上部基板の内面に形成され、紫外線を可視光線に変換するための第２蛍光層をさらに含むことを特徴とする請求項１０記載の面光源装置。
【請求項１３】
前記下部基板及び前記上部基板のうち、少なくとも１つの外面に形成され、前記陥没部の長さ方向に垂直な方向に両端部にそれぞれ形成される第１及び第２電極をさらに含むことを特徴とする請求項１記載の面光源装置。
【請求項１４】
前記連結通路は前記第１及び第２電極と重畳するように形成されることを特徴とする請求項１３記載の面光源装置。
【請求項１５】
下部基板と、前記下部基板と結合され複数の放電領域を形成し前記放電領域の分割のために前記下部基板の方向に陥没する複数の陥没部を含む上部基板と、前記下部基板の内面に形成され隣接する前記放電領域を互いに連結するための連結通路を有する下層膜とを含む面光源装置と、
前記面光源装置を収納する収納容器と、
前記面光源装置から発生された光を用いて画像を表示する液晶表示パネルと、
を含む液晶表示装置。
【請求項１６】
前記連結通路は、前記陥没部の長さ方向に直交する方向に延長され、全ての前記陥没部と交差するように一定の線幅を有する１つ以上のラインから形成されることを特徴とする請求項１５記載の液晶表示装置。
【請求項１７】
前記連結通路は、それぞれの前記陥没部と交差するように複数からなり、互いに隣接する前記陥没部の長さ方向の両端部に交互に交差するように形成されることを特徴とする請求項１５記載の液晶表示装置。
【請求項１８】
前記連結通路は、前記下層膜の除去によって形成されることを特徴とする請求項１５記載の液晶表示装置。
【請求項１９】
前記連結通路と対応する前記下層膜の厚さは、前記連結通路が形成されていない位置の前記下層膜の厚さより薄いことを特徴とする請求項１５記載の液晶表示装置。
【請求項２０】
前記面光源装置は、前記下部基板及び前記上部基板のうち、少なくとも１つの外面に形成され、前記陥没部の長さ方向に垂直な方向の両端部にそれぞれ形成される第１及び第２電極をさらに含むことを特徴とする請求項１５記載の液晶表示装置。
【請求項２１】
前記連結通路は、前記第１及び第２電極と重畳するように形成されることを特徴とする請求項２０記載の液晶表示装置。
【請求項２２】
前記第１及び第２電極に放電電圧を印加するためのインバーターと、
前記面光源装置と前記液晶表示パネルとの間に配置される光学部材と、をさらに含むことを特徴とする請求項２０記載の液晶表示装置。
【発明の詳細な説明】
【技術分野】
【０００１】
本発明は面光源装置及びこれを有する液晶表示装置に関し、さらに詳細には面形態に光を出射する面光源装置及びこれをバックライトアセンブリとして使用する液晶表示装置に関する。
【背景技術】
【０００２】
一般に、液晶表示装置は、液晶を用いて画像を表示する平板表示装置の１つとして、他の表示装置に比べて薄くて軽く、低消費電力及び低駆動電圧を有する長所があって、産業全般にわたって幅広く使用されている。
【０００３】
このような液晶表示装置は、画像を表示するための液晶表示パネルが自発的に発光できない非発光型素子であるので、別途の光源を提供するバックライトアセンブリを必要とする。
【０００４】
従来のバックライトアセンブリは、光源として細管形状を有する冷陰極蛍光ランプＣＣＦＬが主に使用される。冷陰極蛍光ランプを光源として使用するバックライトアセンブリは光源の位置によって、大きくエッジ型と直下型とに分類される。エッジ型は透明導光板の側面に光源を位置させ導光板の一面を用いて光を多重反射させることで得る光を液晶表示パネルに出射する方式であり、直下型は複数の光源を液晶表示パネルの直下部に位置させ光源の全面には拡散板を配置し、光源の背面には反射板を配置して光源から発散された光を反射、拡散させる方式である。
【０００５】
このような、従来のバックライトアセンブリは、光の損失が発生して光利用効率が低く、全体構造が複雑して生産費用が高く、輝度の均一性が低下するという問題点がある。
このような問題点を解消するために、最近では面形態に光を直接出射する面光源装置に対する開発が進行されつつある。面光源装置は内部空間が互いに隣接する複数の放電領域に形成された光源本体、及び光源本体に放電電圧を印加するために光源本体に形成される電極を含む。このとき、それぞれの放電領域は放電ガスの均一な分布のために隣接する放電領域と一部が連通するように形成される。このような面光源装置は、外部から電極に印加される放電電圧によってそれぞれの放電領域からプラズマ放電を発生させ、これを用いて光を出射する。
【０００６】
しかし、従来の面光源装置は、放電開始の際、放電領域間の相互干渉による偏流現象が発生される。即ち、互いに隣接する放電領域間に形成されたガス移動通路に電荷が集中して放電がいずれか１つの放電領域に片寄る現象が発生し、全面発光を阻害するという問題点がある。
【発明の開示】
【発明が解決しようとする課題】
【０００７】
従って、本発明はこのような問題点を勘案したもので、本発明の目的は、放電領域間の相互干渉により発生される偏流現象を除去して発光特性を向上させることができる面光源装置を提供することにある。
【０００８】
本発明の他の目的は、前記のような面光源装置を光源として有する液晶表示装置を提供することにある。
【課題を解決するための手段】
【０００９】
前記本発明の目的を達成するための面光源装置は、下部基板、上部基板と結合される上部基板及び前記下部基板の内面に形成される下層膜を含む。前記上部基板は、前記下部基板と結合されて放電空間を形成し、前記放電空間を複数の放電領域に分割するために前記下部基板の方向に陥没する複数の陥没部を含む。前記下層膜は、前記下部基板の内面に形成され前記複数の陥没部と接し、それぞれの前記陥没部と交差して隣接する前記放電領域を互いに連結する連結通路を含む。
【００１０】
前記連結通路は、全ての前記陥没部と交差するように一定の線幅を有する１つのラインから形成されるか、互いに隣接する前記陥没部の一端部及び他端部と交互に交差するように形成することができる。
【００１１】
本発明の他の目的を達成するための液晶表示装置は、面光源装置，収納容器及び液晶表示パネルを含む。前記面光源装置は、下部基板、前記下部基板と結合される複数の放電領域を形成し前記放電領域の分割のために前記下部基板の方向に陥没する複数の陥没部を含む上部基板、及び前記下部基板の内面に形成され隣接する前記放電領域を互いに連結するための連結通路を有する下層膜を含む。前記収納容器は前記面光源装置を収納する。前記液晶表示パネルは前記面光源装置から発生された光を用いて画像を表示する。
【００１２】
このような面光源装置及びこれを有する液晶表示装置によると、互いに隣接する放電領域間の相互干渉による偏流現象を除去して面光源装置の発光特性を向上させることができる。
【発明を実施するための最良の形態】
【００１３】
以下、図面を参照して本発明の望ましい１実施形態をより詳細に説明する。
図１は本発明の１実施形態による面光源装置を示す分解斜視図であり、図２は図１に示された面光源装置の結合された断面図である。
【００１４】
図１及び図２に示すように、本発明の１実施形態による面光源装置１０００は、下部基板１００、下部基板１００と結合されて放電空間を形成する上部基板２００及び下部基板１００上に形成される下層膜３００を含む。
【００１５】
下部基板１００は四角プレート形状を有し、一例として、可視光線を透過し、紫外線は遮断する透明なガラス基板からなる。
上部基板２００は、下部基板１００と結合されて内部に放電空間を形成し、一例として、可視光線を透過し、紫外線は遮断する透明なガラス基板からなる。上部基板２００は、前述した放電空間を複数の放電領域２１０に分割するために下部基板１００の方向に陥没した複数の陥没部２２０を含む。複数の陥没部２２０は、一定間隔に離間して互いに並んで形成される。このような形状の上部基板２００は、一例として、成形加工を通じて形成することができる。即ち、プレート形状のベース基板を一定温度に加熱した後、所望する形状の金型を通じてベース基板を成形することで、複数の陥没部２２０が形成された上部基板２００を得ることができる。
【００１６】
本実施形態において、上部基板２００の縦断面は図２に示されたように、複数の半円が連続的に連結した形態を有する。しかし、これに限らず、上部基板２００は縦断面が半楕円、台形などの多様な形態を有するように形成することができる。
【００１７】
上部基板２００は、一例として、半田ガラスなどの接着手段１１０を通じて下部基板１００と結合される。即ち、上部基板２００と下部基板１００との間で縁部を取り囲むように半田ガラスなどの接着手段１１０を介在した後焼成することで、上部基板２００と下部基板１００は互いに結合される。このとき、上部基板２００に形成された複数の陥没部は下部基板１００上に形成された下層膜３００と接するようになり複数の放電領域２１０を形成する。ここで、接着手段１１０は上部基板２００と下部基板１００との間の縁部のみに形成されるので、複数の陥没部２２０は内外部の圧力差によって下層膜３００に密着する。具体的に、上部基板２００と下部基板１００の結合によって形成された複数の放電領域２１０にはプラズマ放電のための放電ガスが注入される。この放電ガスのガス圧は約５０torr程度であり、外部大気圧である７６０torrと比較して圧力差が発生する。このような内外部の圧力差によって複数の陥没部２２０は下層膜３００と密着し、また、下層膜３００がバッファの役割を遂行して接触による損傷を防止することができる。
【００１８】
下層膜３００は上部基板２００と向き合う下部基板１００の内面に形成される。下層膜３００は基本的に接着手段１１０が介在する縁部を除いた全体面積に形成される。下層膜３００は、一例として、反射層３１０及び第１蛍光層３２０で構成される。反射層３１０は下部基板１００と第１蛍光層３２０との間に形成され、下部基板１００の方向に向かう光を上部基板２００の方向に反射させる。第１蛍光層３２０は反射層３１０上に形成され、プラズマ放電を通じて発生した紫外線によって励起され可視光線を放出する。
【００１９】
一方、上部基板２００の内面にも可視光線の放出のための第２蛍光層２３０が形成される。また、図示されていないが、上部基板２００と第２蛍光層２３０との間に、保護層をさらに形成することができる。保護層は上部基板２００と放電ガスの主成分である水銀との間で発生する科学的反応を防止する。
【００２０】
下層膜３００に隣接する放電領域２１０を互いに連結するための連結通路３３０が形成される。連結通路３３０は、それぞれの陥没部２２０と交差するように少なくとも１つ以上が形成され、陥没部２２０の長さ方向の両端部のうち、少なくとも１つの端部と隣接するように形成される。望ましくは、連結通路３３０は陥没部２２０の長さ方向に直交する方向にに形成することが好ましい。このような連結通路３３０は、下層膜３００を一定の幅に除去するか、または下層膜３００の塗布厚さを薄く塗布する方式によって形成される。このような連結通路３３０によって放電空間に注入された放電ガスを、複数の放電領域２１０に均一に分布することができ、それぞれの放電領域２１０は均一なガス圧を有するようになる。また、下層膜３００の厚さ調節を通じて連結通路３３０を形成することで、連結通路３３０の大きさを最小化することができ、これを通じて放電開始の際の電荷の集中を防止して偏流現象を除去することができる。
【００２１】
一方、本発明の１実施形態による面光源装置１０００は外部から印加される放電電圧の印加のための第１及び第２電極２４０、２５０をさらに含む。
第１及び第２電極２４０、２５０は、上部基板２００の外側表面の両端部にそれぞれ形成され、陥没部２２０の長さ方向に直交する方向に形成される。第１及び第２電極２４０、２５０は導電性に優れた材質、例えば、銅、ニッケル、アルミニウムテープ、銀ペーストなどを用いて形成され、外側表面でエネルギーを放電空間内部に供給しなければならないので充分な励起エネルギーを供給することができるように十分な表面積を有するように形成される。ここで、第１及び第２電極２４０、２５０が形成される位置は実際に光が出射されない非有効発光領域になるので、下層膜３００に形成される連結通路３３０は第１及び第２電極２４０、２５０の形成位置と重畳されるように形成されることが望ましい。
【００２２】
本実施形態において、第１及び第２電極２４０、２５０は、上部基板２００の外側表面にのみ形成されるか、これとは異なり、下部基板１００の外側表面、または上部基板２００と下部基板１００の外側表面にすべて形成することができる。
【００２３】
図３は図１に示された下層膜の構造を具体的に示す斜視図であり、図４は図３のＡ−Ａ’線に沿って切断した断面図であり、図５は図４に示された連結通路の他の実施形態を示す断面図である。
【００２４】
図３及び図４に示すように、下層膜３００は下部基板１００上で接着手段１１０が配置される位置と連結通路３３０が形成される位置を除いた全体領域に形成される。参考に、図３以下の図面に示された点線は複数の陥没部２２０が接するようになる位置を示す。
【００２５】
連結通路３３０は全ての陥没部２２０と交差するように一定の線幅ＬＷを有する少なくとも１つのラインから形成される。一例として、連結通路３３０の線幅ＬＷは約０．５〜１ｍｍ程度に形成される。このような連結通路３３０は下部基板１００上に下層膜３００を形成した後、連結通路３３０に対応される領域の下層膜３００を除去するか、連結通路３３０に対応される位置を除いては下層膜３００を形成する方法などによって形成される。
【００２６】
このように、１つのライン形態を有する連結通路３３０の形成のために下層膜３００を完全に除去する場合には作業性と工程性は容易であるが、除去された部分によって暗部が発生する。従って、このような場合、連結通路３３０は非有効発光領域である第１及び第２電極２４０、２５０の形成位置に対応する一端部または両端部に形成することが望ましい。
【００２７】
図５に示すものは、連結通路３３０は図３に示すように、全ての陥没部２２０と交差するように一定の線幅を有する１つのラインで形成するか、図４のように、下層膜３００全体を除去するのではなく、下層膜３００の全体の厚さのうち一部の厚さのみを除去することで形成される。即ち、連結通路３３０に対応する下層膜３００の厚さは、連結通路３３０が形成されていない部分の厚さより薄く形成される。このような連結通路３３０は下層膜３００の塗布の際、連結通路３３０に対応する領域のみ薄い厚さで塗布するか、全体を同じ厚さに塗布した後連結通路３３０の形成のために一部を除去する方式によって形成することができる。
【００２８】
一例として、下部基板１００上には連結通路３３０と対応する領域を除いては反射層３１０が形成される。このとき、反射層３１０は全体的に塗布された後連結通路３３０と対応する領域のみを除去するか、連結通路３３０と対応する領域を除いては反射層３１０を塗布する方式によって下部基板１００上に形成される。以後、第１蛍光層３２０が反射層３１０上に全体的に塗布される。このとき、連結通路３３０と対応する領域では反射層３１０が形成されていないことで、第１蛍光層３２０は下部基板１００と接するように形成される。従って、反射層３１０の除去によって他の領域に比べて反射層３１０の厚さ分だけ陥没した連結通路３３０が形成される。例えば、反射層３１０の厚さが約８０μｍであり、第１蛍光層３２０の厚さが約８０μｍである場合、下層膜３００の全体厚さは約１６０μｍとなり、連結通路３３０が形成される下層膜３００の厚さは約８０μｍ程度に形成される。線幅ＬＷが約１ｍｍ程度であると、（０．０８ｍｍ×１ｍｍ）の断面積を有する連結通路３３０が形成される。このように、下層膜３００の一部、特に、反射層３１０の除去によって連結通路３３０を形成する場合、連結通路３３０による暗部発生を減少することができる。
【００２９】
図６は図３に示された下層膜の他の実施形態を示す斜視図である。
図６に示すように、下層膜４００は下部基板１００上で接着手段１１０が配置される位置と連結通路４３０が形成される位置を除いた全体領域に形成される。
【００３０】
本実施形態において、連結通路４３０は複数のラインからなり、各連結通路４３０は陥没部２２０の長さ方向の両端部のうち、いずれか１つの端部と隣接して交差するように形成される。このとき、連結通路４３０は互いに隣接する陥没部２２０の一端部と他端部に交互に交差するように形成することが望ましい。
【００３１】
それぞれの連結通路４３０に対応する下層膜４００の厚さが下層膜４００の全体厚さより薄くなるように、下層膜４００の一部または全体を除去することによって形成される。また、それぞれの連結通路４３０は第１及び第２電極２４０、２５０の形成位置と重畳される位置に形成され、偏流現象の防止のために最大の両端部側に形成することが望ましい。一方、各連結通路４３０の形状は隣接する放電領域を互いに連結することさえできれば、矩形、正四角形または楕円形態の多様な変形が可能である。
【００３２】
図７に示された下層膜のさらにまたの実施形態を示す斜視図であり、図８は図７のＢ部分に対する拡大図である。
図７及び図８に示すように、下層膜５００は下部基板１００上に接着手段１１０が配置される位置を除いた全体領域に形成される。
【００３３】
連結通路５３０は陥没部２２０の長さ方向の両端部の間に形成され、全ての陥没部と交差するように一定の線幅ＬＷを有する１つのラインから形成される。望ましくは、連結通路５３０は陥没部２２０の長さ方向の中央部を横切るように形成される。このように、連結通路を第１及び第２電極２４０、２５０から離れて形成することによって、偏流現象の発生確率をさらに減少させることができる。
【００３４】
一方、本実施形態において、連結通路５３０は有効発光領域内に形成されるので、暗部の発生を減らすために、下層膜５３０の全体厚さを除去するのではなく下層膜５３０の塗布厚さを他のところに比べて薄く形成することが望ましい。
【００３５】
一例で、下層膜５００の全体厚さＤ１は、約１６０μｍであり、連結通路５３０に対応する下層膜５００の厚さＤ２は約６０〜１１０μｍ程度に形成される。従って、連結通路５３０の線幅ＬＷが約０．５〜１ｍｍである場合、連結通路５３０は（０．５〜１）×（０．００５〜０．１）ｍｍ2の断面積を有する。連結通路５３０に対応する下層膜５００の厚さを他の位置に比べて薄く形成する方法としては図８のように、下層膜５００に含まれた反射層５１０を除去する方法があるが、これとは違って、第１蛍光層５２０を除去する方法も可能である。
【００３６】
図９は図３に示された下層膜のさらに他の実施形態を示す斜視図であり、図１０は図９に示された下層膜を含む面光源装置の断面図である。
図９及び図１０に示すように、下層膜６００は下部基板１００上に接着手段１１０が配置される位置を除いた全体領域に形成される。
【００３７】
本実施形態において、連結通路６３０は陥没部２２０の長さ方向の両端部の間でそれぞれの陥没部２２０と交差するように複数からなる。互いに隣接する陥没部２２０とそれぞれ交差する連結通路６３０は陥没部２２０の長さ方向に一定距離Ｄ３分だけ離間するように形成され、望ましくは、陥没部２２０の長さ方向の中央部を基準にしてジグザグ形態に形成される。一例として、連結通路６３０間の離隔距離Ｄ３は約１０〜１５ｍｍに形成される。一方、それぞれの陥没部２２０と交差する複数の連結通路６３０は陥没部２２０の長さ方向に対して任意の位置に不規則に形成することができる。
【００３８】
また、連結通路６３０は有効発光領域内に形成されるので、連結通路６３０に対応する下層膜６００の厚さを他の部分に比べて薄く形成して、暗部の発生を減少することができる。一方、各連結通路６３０の形状は隣接した放電領域２１０を互いに連結することさえできれば、正四角形、矩形または円形などの多様な形状を有することができる。
【００３９】
図１１は本発明の１実施形態による液晶表示装置を示す分解斜視図である。本実施形態において、面光源装置は図１及び図１０を参照して説明したのと同一の構成を有するので、その重複された説明は省略する。
【００４０】
図１１に示すように、本発明の１実施形態による液晶表示装置２０００は面光源装置１０００、収納容器７００及び表示ユニット８００を含む。
表示ユニット８００は画像を表示する液晶表示パネル８１０、液晶表示パネル８１０を駆動するための駆動信号を提供するデータ及びゲート印刷回路基板８２０、８３０を含む。データ及びゲート印刷回路基板８２０、８３０はデータテープキャリアパッケージ（以下：ＴＣＰと称する）８４０及びゲートＴＣＰ８５０を通じて液晶表示パネル８１０と電気的に連結される。
【００４１】
液晶表示パネル８１０は、薄膜トランジスタ基板８１２、ＴＦＴ基板８１２と対向して結合されるカラーフィルター基板８１４、及びこの２つの基板８１２、８１４の間に介在された液晶８１６を含む。
【００４２】
ＴＦＴ基板８１２は、スイッチング素子ＴＦＴ（図示せず）がマトリックス状に形成された透明なガラス基板である。ＴＦＴのソース及びゲート端子にはそれぞれデータ及びゲートラインが連結され、ドレイン端子には透明な導電性材質からなる画素電極（図示せず）が連結される。
【００４３】
カラーフィルター基板８１４は、色画素であるＲＧＢ画素（図示せず）が薄膜工程によって形成された基板である。カラーフィルター基板８１４には透明な導電性材質からなる共通電極（図示せず）が形成される。
【００４４】
このような構成を有する液晶表示パネル８１０は、ＴＦＴのゲート端子に電源が印加されＴＦＴがターンオンすると、画素電極と共通電極との間に電界が形成される。このような電界によってＴＦＴ基板８１２とカラーフィルター基板８１４との間に介在する液晶８１６の配列角度が変化され、変化された配列角度によって面光源装置１０００から供給される光の透過度が変更されて所望する階調の画像を得るようになる。
【００４５】
収納容器７００は面光源装置１０００を収納するために底部７１０及び底部７１０のエッジから収納空間を形成するために延長された複数の側壁７２０からなる。複数の側壁７２０は底部７１０のエッジから垂直に延長され収納された面光源装置１０００の４つの側面と接するようになって面光源装置１０００の流動を防止する。
【００４６】
一方、液晶表示装置２０００はインバーター９１０、光学部材９２０及びトップシャーシ９３０をさらに含む。
インバーター９１０は収納容器７００の背面に配置され、面光源装置１０００を駆動するための放電電圧を発生させる。インバーター９１０から発生された放電電圧は第１及び第２電源線９１２、９１４を通じて面光源装置１０００の第１及び第２電極２４０、２５０にそれぞれ印加される。
【００４７】
光学部材９２０は面光源装置１０００と液晶表示パネル９１０との間に配置される。光学部材９２０は面光源装置１０００から出射する光の輝度均一性を向上させる。これのために、光学部材９２０は薄いシート形状の拡散シートからなるか、または厚いプレート形状の拡散板からなる。また、光学部材９２０は、場合によって、液晶表示パネル９１０に向かう光の正面輝度を向上させるためにプリズムシートをさらに含むことができる。
【００４８】
トップシャーシ９３０は液晶表示パネル９１０の縁部を取り囲み収納容器７００に結合される。トップシャーシ９３０は外部衝撃によって液晶表示パネル９１０の破損を防止し、液晶表示パネル９１０が収納容器７００から離脱することを防止する。
【００４９】
このような面光源装置及びこれを有する液晶表示装置によると、上部基板の成形加工を通じて形成された複数の陥没部と、下部基板に形成された下層膜の密着によって複数の放電領域とを形成し、隣接する放電領域を互いに連結するための連結通路を下層膜に形成する。このとき、連結通路は偏流現象が発生されない程度のサイズに形成される。従って、互いに隣接する放電領域間の相互干渉による偏流現象を除去して面光源装置の発光特性を向上させることができる。
【００５０】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００５１】
【図１】図１は本発明の１実施形態による面光源装置を示す分解斜視図である。
【図２】図１に示された面光源装置の結合された断面図である。
【図３】図１に示された下層膜の構造を具体的に示す斜視図である。
【図４】図３のＡ−Ａ’線に沿って切断した断面図である。
【図５】図４に示された連結通路の他の実施形態を示す断面図である。
【図６】図３に示された下層膜の他の実施形態を示す斜視図である。
【図７】図３に示された下層膜のさらにまたの実施形態を示す斜視図である。
【図８】図７のＢ部分に対する拡大図である。
【図９】図３に示された下層膜のさらにまたの実施形態を示す斜視図である。
【図１０】図９に示された下層膜を含む面光源装置の断面図である。
【図１１】本発明の１実施形態による液晶表示装置を示す分解斜視図である。
【符号の説明】
【００５２】
１００      下部基板
２００      上部基板
２１０      放電領域
２２０      陥没部
２４０、２５０      第１及び第２電極
３００      下層膜
３１０      反射層
３２０      蛍光層
３３０      連結通路
７００      収納容器
８１０      液晶表示パネル
９１０      インバーター
９２０      光学部材
９３０      トップシャーシ
１０００      面光源装置
２０００      液晶表示装置
【図１】
2005268205.tif 000003
【図２】
2005268205.tif 000004
【図３】
2005268205.tif 000005
【図４】
2005268205.tif 000006
【図５】
2005268205.tif 000007
【図６】
2005268205.tif 000008
【図７】
2005268205.tif 000009
【図８】
2005268205.tif 000010
【図９】
2005268205.tif 000011
【図１０】
2005268205.tif 000012
【図１１】
2005268205.tif 000013